(57)【要約】【課題】中仕切りフィルム及び横ガゼットを備えた袋体において、中仕切りフィルムによって副収納部を形成した上で、横ガゼットによって大きな容積の主収納部を確保すること。【解決手段】胴部フィルム１０２，１０４の間において、中仕切りフィルム１０６及び一対の横ガゼット１０８，１０８が互いに上縁の位置を合わせられ、シールテープ１１０によって一方の胴部フィルム１０２側に上端を接着され、副収納部１１８及び主収納部１２０が形成される。こうすることにより、中仕切りフィルム及び横ガゼットのそれぞれの機能を犠牲にすることなく、中仕切りフィルムによって副収納部を形成した上で、横ガゼットによって大きな容積の主収納部を確保することができる袋体を提供することができる。【選択図】　図１
2004142781.tif 000002
【特許請求の範囲】
【請求項１】
表裏の胴部フィルムと、
前記表裏の胴部フィルムの一方に、当該一方の胴部フィルムの上縁から離間し、底縁及び両側縁が接着される中仕切りフィルムと、
前記中仕切りフィルムの上に重ねられ、前記一方の胴部フィルムの上縁から離間し、底縁及びそれぞれの側縁が前記中仕切りフィルムを挟んで前記一方の胴部フィルムの底縁及び両側縁に接着され、底縁及びそれぞれの側縁が他方の胴部フィルムの底縁及び両側縁に接着される一対の横ガゼットと、
前記中仕切りフィルムと前記一対の横ガゼットの上縁を前記一方の胴部フィルムに接着するシールテープとを備えたことを特徴とする、
中仕切りフィルムを備えた合成樹脂製袋体。
【請求項２】
表裏の胴部フィルムと、
前記表裏の胴部フィルムの一方に、当該一方の胴部フィルムの上縁から離間し、底縁及びそれぞれの側縁が接着される一対の横ガゼットと、
前記一対の横ガゼットの上に重ねられ、前記一方の胴部フィルムの上縁から離間し、底縁及びそれぞれの側縁が前記横ガゼットを挟んで前記一方の胴部フィルムの底縁及び両側縁に接着され、底縁及び両側縁が他方の胴部フィルムの底縁及び両側縁に接着される中仕切りフィルムと、
前記一対の横ガゼットと前記中仕切りフィルムの上縁を前記一方の胴部フィルムに接着するシールテープとを備えたことを特徴とする、
中仕切りフィルムを備えた合成樹脂製袋体。
【請求項３】
表裏の胴部フィルムと、
前記表裏の胴部フィルムの一方に、当該一方の胴部フィルムの上縁から離間し、底縁及び両側縁が接着される第１中仕切りフィルムと、
前記中仕切りフィルムの上に重ねられ、前記一方の胴部フィルムの上縁から離間し、底縁及びそれぞれの側縁が第１中仕切りフィルムを挟んで前記一方の胴部フィルムの底縁及び両側縁に接着される一対の横ガゼットと、
前記一対の横ガゼットの上に重ねられ、前記一方の胴部フィルムの上縁から離間し、底縁及びそれぞれの側縁が前記第１中仕切りフィルム及び前記横ガゼットを挟んで前記一方の胴部フィルムの底縁及び両側縁に接着され、底縁及び両側縁が他方の胴部フィルムの底縁及び両側縁に接着される第２中仕切りフィルムと、前記第１中仕切りフィルムと前記一対の横ガゼットと前記第２中仕切りフィルムの上縁を前記一方の胴部フィルムに接着するシールテープとを備えたことを特徴とする、
中仕切りフィルムを備えた合成樹脂製袋体。
【請求項４】
前記一方の胴部フィルムに重ねられたフィルムの下層が上層よりも突出しており、前記シールテープがそれぞれのフィルムに跨がって前記一方の胴部フィルムに接着している、請求項１乃至請求項３のいずれかに記載の合成樹脂製袋体。
【請求項５】
前記横ガゼットの上に重ねられた中仕切りフィルムが、上縁において少なくとも横ガゼットの稜線を露出させる凹部を備え、前記シールテープが前記中仕切りフィルム及び前記横ガゼットに跨がって前記中仕切りフィルム及び前記横ガゼットを前記一方の胴部フィルム側に接着している、請求項２又は請求項３に記載の合成樹脂製袋体。
【請求項６】
前記中仕切りフィルムが、底縁で前記胴部フィルムと非接着である、請求項１乃至請求項５のいずれかに記載の合成樹脂製袋体。
【請求項７】
前記袋体の上方開口部部分に雌雄咬合型のチャックが設けられている、請求項１乃至請求項６のいずれかに記載の合成樹脂製袋体。
【請求項８】
前記雌雄咬合型のチャックが前記シールテープと一体に設けられている、請求項７記載の合成樹脂製袋体。
【請求項９】
前記雌雄咬合型のチャックが、前記横ガゼット及び前記中仕切りフィルムと重って設けられている、請求項８記載の合成樹脂製袋体。
【発明の詳細な説明】
【０００１】
【発明の属する技術分野】
本発明は、中仕切りフィルムを備えた合成樹脂製袋体に関する。より詳細には、本発明は、主収納部と区画された副収納部を形成する中仕切りフィルムを備え、さらに、中仕切りフィルムがあるにも拘らず両サイドにＶ字状に折り込んだ横ガゼットを備えた合成樹脂製袋体に関する。
【０００２】
【従来の技術】
袋体における中仕切りフィルムは、例えば、
（１）一方の収納部（主収納部）に内容物を収納し、他方の収納部（副収納部）に乾燥剤や脱酸素剤を収納して内容物の保存性を高めるため、
（２）一方の収納部（主収納部）にラーメンなど食品を収納し、他方の収納部（副収納部）に調味料や具を収納する等、異種物品を同一袋体内に区分して収納するため、
（３）一方の収納部（主収納部）に内容物を収納し、他方の収納部（副収納部）に説明書や仕様書を収納するため、
に用いられている。中仕切りフィルムは、表裏の胴部フィルムの一方又は両方に接着され、主収納部と区画された副収納部を形成する（例えば、特許文献１乃至特許文献３）。
【０００３】
また、袋体における横ガゼットは、物品収納時において表裏の胴部フィルムを表裏方向に膨出変形させ、収納容積を拡大させるために用いられている。横ガゼットは、表裏の胴部フィルムの両サイドに備えられ、その胴部フィルムに接着される（例えば、特許文献４乃至特許文献６参照）。
【０００４】
【特許文献１】
実公昭５７−３０２９８号公報
【特許文献２】
実公昭５８−４５２５８号公報
【特許文献３】
実公平２−４８３６２号公報
【特許文献４】
特開平８−３４４５０号公報
【特許文献５】
特開平９−２１６６４２号公報
【特許文献６】
特開平９−２４０６８９号公報
【０００５】
【発明が解決しようとする課題】
しかしながら、今まで、中仕切りフィルムと横ガゼットとの両方を備えた袋体はない。
例えば、中仕切りフィルムを備えた袋体に横ガゼットを備えるとなると、横ガゼットを表裏の胴部フィルムに接着する際に、中仕切りフィルムが胴部フィルムと接着することになる。特に、袋体が、上部に開口部を備え、さらに、開口部を封止するチャックを備えている場合、横ガゼットを胴部フィルムに接着すると、中仕切りフィルムによって区画された副収納部に胴部フィルム接着部分の出っ張りが形成され、副収納部に物品を収納したり、副収納部から物品を取り出したりする際に、出っ張りが邪魔になる。したがって、中仕切りフィルムを備えた袋体に横ガゼットを備えるには、横ガゼットを備える領域、接着箇所、接着する合せ面及び組合せ順序に配慮や工夫が求められる。
【０００６】
また、逆に、横ガゼットを備えた袋体に中仕切りフィルムを備えるとなると、前記の場合と同様に、中仕切りフィルムを備える領域、接着箇所、接着する合せ面及び組合せ順序に配慮しなければ、破袋を生じたり、余計な工数を要したりする。特に、袋体が、上部に開口部を備え、さらに、開口部を封止するチャックを備えている場合や、シールテープによって横ガゼットを一方の胴部フィルムに接着している場合には、横ガゼットの容積拡大機能を損うことなく、中仕切りフィルムを配置した上で、中仕切りフィルムを胴部フィルムや横ガゼットに接着しなければならない。
【０００７】
以上のように、中仕切りフィルムと横ガゼットを単に組み合わせるだけでは、中仕切りフィルム及び横ガゼットのいずれかの機能が犠牲になる。
【０００８】
本発明の目的は、中仕切りフィルム及び横ガゼットを備えた袋体において、中仕切りフィルムによって副収納部を形成した上で、横ガゼットによって大きな容積の主収納部を確保することができ、使用の便を図った袋体を提供することにある。
【０００９】
【課題を解決するための手段】
本発明は、第１に、前記課題を解決するために、表裏の胴部フィルムと、前記表裏の胴部フィルムの一方に、当該一方の胴部フィルムの上縁から離間し、底縁及び両側縁が接着される中仕切りフィルムと、前記中仕切りフィルムの上に重ねられ、前記一方の胴部フィルムの上縁から離間し、底縁及びそれぞれの側縁が前記中仕切りフィルムを挟んで前記一方の胴部フィルムの底縁及び両側縁に接着され、底縁及びそれぞれの側縁が他方の胴部フィルムの底縁及び両側縁に接着される一対の横ガゼットと、前記中仕切りフィルムと前記一対の横ガゼットの上縁を前記一方の胴部フィルムに接着するシールテープとを備えた、合成樹脂製袋体を提供する。
【００１０】
また、本発明は、第２に、前記課題を解決するために、表裏の胴部フィルムと、前記表裏の胴部フィルムの一方に、当該一方の胴部フィルムの上縁から離間し、底縁及びそれぞれの側縁が接着される一対の横ガゼットと、前記一対の横ガゼットの上に重ねられ、前記一方の胴部フィルムの上縁から離間し、底縁及びそれぞれの側縁が前記横ガゼットを挟んで前記一方の胴部フィルムの底縁及び両側縁に接着され、底縁及び両側縁が他方の胴部フィルムの底縁及び両側縁に接着される中仕切りフィルムと、前記一対の横ガゼットと前記中仕切りフィルムの上縁を前記一方の胴部フィルムに接着するシールテープとを備えた合成樹脂製袋体を提供する。
【００１１】
さらに、本発明は、第３に、前記課題を解決するために、表裏の胴部フィルムと、前記表裏の胴部フィルムの一方に、当該一方の胴部フィルムの上縁から離間し、底縁及び両側縁が接着される第１中仕切りフィルムと、前記中仕切りフィルムの上に重ねられ、前記一方の胴部フィルムの上縁から離間し、底縁及びそれぞれの側縁が第１中仕切りフィルムを挟んで前記一方の胴部フィルムの底縁及び両側縁に接着される一対の横ガゼットと、前記一対の横ガゼットの上に重ねられ、前記一方の胴部フィルムの上縁から離間し、底縁及びそれぞれの側縁が前記第１中仕切りフィルム及び前記横ガゼットを挟んで前記一方の胴部フィルムの底縁及び両側縁に接着され、底縁及び両側縁が他方の胴部フィルムの底縁及び両側縁に接着される第２中仕切りフィルムと、前記第１中仕切りフィルムと前記一対の横ガゼットと前記第２中仕切りフィルムの上縁を前記一方の胴部フィルムに接着するシールテープとを備えた合成樹脂製袋体を提供する。
【００１２】
本発明では、横ガゼットと中仕切りフィルムの両方を備え、それぞれの機能を犠牲にすることなく、合成樹脂製袋体を構成している。すなわち、横ガゼットの上縁と中仕切りフィルムの上縁を実質的に整列させて配置し、それぞれの上縁を胴部フィルムの一方にシールテープを利用して接着するようになっている。
副収納部は、中仕切りフィルムを用いて形成されるが、その中仕切りフィルムの上縁はシールテープによって横ガゼットの上縁とともに胴部フィルムに一括して接着されるので、袋体の製造工程を簡略化することができる。
また、上縁をシールテープにより接着することにより、表裏の胴部フィルムの内部に中仕切りフィルムの周縁、特に、上縁が位置することがなく、主収納部とは独立した収納空間を形成できるので、主収納部から物品の取り出しを容易且つ円滑に行うことができる。
【００１３】
請求項１のように、中仕切りフィルムの上に横ガゼットを重ね、開口部部分からアクセスしにくい位置で副収納部を主収納部から独立させた袋体では、手に取ったり、口にしたりすることが望まれない物品を主物品とともに袋体内に同封させることに適している。
【００１４】
また、請求項２のように、横ガゼットの上に中仕切りフィルムを重ね、開口部部分から副収納部にアクセスするようにした袋体では、物品を手に取る前に、購入者に対して促したいことや訴えたいことがある場合、例えば、注意書を医薬品の使用前に読ませたい用途に適している。
【００１５】
さらに、請求項３のように、請求項１と請求項２の特徴を組み合わせて使用の便を図ることもできる。
【００１６】
本発明では、中仕切りフィルム及び横ガゼットを積層上に重ねて一方の胴部フィルムに接着する構成となっているので、それぞれのフィルムの接着性を考慮することが望まれる。そこで、請求項４の発明では、前記一方の胴部フィルムに重ねられたフィルムの下層が上層よりも突出しており、前記シールテープがそれぞれのフィルムに跨がって前記一方の胴部フィルムに接着している袋体を提供している。
中仕切りフィルムと横ガゼットの上縁を順々にずらせることにより、シールテープがそれぞれのフィルムと接着し、それぞれのフィルムを胴部フィルムと強固に接着させることができる。
【００１７】
また、接着性を考慮する他の手段として、請求項５の発明では、前記横ガゼットの上に重ねられた中仕切りフィルムが、上縁において少なくとも横ガゼットの稜線を露出させる凹部を備え、前記シールテープが前記中仕切りフィルム及び前記横ガゼットに跨がって前記中仕切りフィルム及び前記横ガゼットを前記一方の胴部フィルム側に接着している袋体を提供している。
この発明は、横ガゼットの上に中仕切りフィルムが重ねられた形態を対象としており、中仕切りフィルムの所要部に凹部を設けることで、横ガゼットが部分的にシールテープと接着できる構成となっている。特に、対峙する稜線をシールテープに対して露出させ、その稜線をシールテープで胴部フィルム側（胴部フィルム又は中仕切りフィルム）と接着させることにより、主収容部に物品を投入して袋体自体が膨らんだときでも、破袋することを防止することができる。
【００１８】
さらに、請求項６の発明では、前記中仕切りフィルムが、底縁で前記胴部フィルムと非接着であることを特徴としている。この形態の袋体は、主収納部と副収納部との間で通気性を有するので、乾燥剤や脱酸素剤を副収納部に投入して利用するための袋体として好適である。この場合、中仕切りフィルムの底縁を袋体自体の底縁と僅かな隙間を持って離間させることが好ましい。すなわち、乾燥剤や脱酸素剤が副収納部から主収納部に移動しない程度の隙間で中仕切りフィルムの底縁を袋体自体の底縁を離間させる。
【００１９】
【発明の実施の形態】
以下、図面を参照して本発明による中仕切りフィルムを備えた合成樹脂製袋体の実施形態を説明する。図１〜図３は本発明による合成樹脂製袋体の第１実施形態を示し、図４〜図５は本発明による合成樹脂製袋体の第２実施形態を示し、図６〜図８は本発明による合成樹脂製袋体の第３実施形態を示し、図９〜図１０は本発明による合成樹脂製袋体の第４実施形態を示し、図１１〜図１２は本発明による合成樹脂製袋体の第５実施形態を示し、図１３〜図１５は本発明による合成樹脂製袋体の第６実施形態を示している。
【００２０】
図１乃至図３に示されるように、第１実施形態の合成樹脂製袋体１００は、表裏の胴部フィルム１０２，１０４、中仕切りフィルム１０６、一対の横ガゼット１０８，１０８、チャック付きシールテープ１１０，１１２より構成される。
本発明では、底部から物品を収納した後、底部を接着封止する形態の合成樹脂製袋体を対象としており、表裏の胴部フィルム１０２，１０４が一体のフィルムを上端で折り返して構成されるものであってもよい。物品収納後、袋体１００は４辺周囲を接着され、袋体１００の上端をノッチ１１４（図２参照）から開封線１１６に沿って横方向に開封することにより、収納部の物品を取り出すことができるようになっている。
【００２１】
胴部フィルム１０２，１０４は、それぞれ実質的に同じ矩形形状及び同じサイズであり、これらの胴部フィルム１０２，１０４の間には、中仕切りフィルム１０６、一対の横ガゼット１０８，１０８、及び、チャック付きシールテープ１１０，１１２が積層状に配置される。
【００２２】
中仕切りフィルム１０６は、胴部フィルム１０２の底縁に合わせられ、胴部フィルム１０２の全幅に渡って設けられる。中仕切りフィルム１０６の上端は、胴部フィルム１０２，１０４の上縁より離間しており、合成樹脂製袋体１００を上部のノッチ１１４から開封しても、中仕切りフィルム１０６が引き裂かれることはない。
中仕切りフィルム１０６は、胴部フィルム１０２の底縁１２２及び両側縁１２４で接着され、さらに、上縁を横ガゼット１０８，１０８とともにチャック付きシールテープ１１０で封止され、合成樹脂製袋体１００内で副収納部１１８を形成する。
なお、中仕切りフィルムは、下縁が胴部フィルム１０２，１０４の底縁に接着される形態でなく、下縁が胴部フィルム１０２，１０４の中間部分に接着される形態でも構わない。
あるいは場合によっては、中仕切りフィルム１０６の下縁（底縁）を胴部フィルム１０２，１０４の底縁より少し上方において非接着とし、例えば、両収納部間の通気性を確保するようにしてもよい。
【００２３】
横ガゼット１０８，１０８は、フィルムをＶ字状に折り込み、それぞれが稜線を平行に対峙させて胴部フィルム１０２，１０４の底縁１２２及びそれぞれの側縁１２４に合せて設けられる。横ガゼット１０８，１０８の上端は、中仕切りフィルムと同様に胴部フィルム１０２，１０４の上縁１２６より離間しており、合成樹脂製袋体１００を上部のノッチ１１４から開封しても、横ガゼット１０８，１０８が引き裂かれることはない。
【００２４】
一対の横ガゼット１０８，１０８は、胴部フィルム１０２側の中仕切りフィルム１０６の上に重ねられる。横ガゼット１０８，１０８の上縁は、中仕切りフィルム１０６とともに整列してチャック付きシールテープ１１０で胴部フィルム１０２に対して封止される。その上に、チャック付きシールテープ１１２を予め接着した胴部フィルム１０４が配置され、袋体１００の上縁１２６及びそれぞれの側縁１２４が接着される。底縁１２２は、物品を収納するために開いており、物品収納後に底縁１２２も接着される。
以上のように構成することで、中仕切りフィルム１０６、一対の横ガゼット１０８，１０８、胴部フィルム１０２，１０４及びチャック付きシールテープ１１０，１１２が、互いに接着されて主収納部１２０が形成される。さらに、上縁がチャックで封止された副収納部１１８が形成される。比較的大きな容積の主収納部１２０には、袋体１００に収納すべき物品が収納され、比較的小さな副収納部１１８には主収納部の物品に関連する副物品が収納される。
【００２５】
雄型チャック１１１付きシールテープ１１０は、胴部フィルム１０２の全幅に渡って、中仕切りフィルム１０６及び横ガゼット１０８，１０８の上端を胴部フィルム１０２に接着する。雌型チャック１１３付きシールテープ１１２は、胴部フィルム１０４に接着されているだけであり、チャック付きシールテープ１１２と胴部フィルム１０４の間には中仕切りフィルム１０６も横ガゼット１０８も挟挿されることはない。雄型チャックと雌型チャックは、逆の関係でもよい。
【００２６】
こうすることにより、中仕切りフィルム１０６の上縁が袋体自体の開口部近郊に現れることがなく、主収納部１２０とは完全に独立した状態の副収納部１１８を形成することができ、主収納部１２０に収納された物品の出入を円滑に行うことができる。
また、副収納部１１８が横ガゼット１０８，１０８の裏側で主収納部１２０とは完全に独立した状態にあるため、副収納部１１８は開封しにくい構成である。取り出すことを意図していない物品、例えば、乾燥剤や脱酸素剤を副収納部１１８に収納することで、保存性だけでなく安全性を高めることができる。特に、低年令層向けの食品類を収納する袋体では、乾燥剤等を口に入れないように工夫することが求められているが、上記のように副収納部１１８を構成することで、安全性が高まる。
さらに、袋体１００の底縁１２２及びそれぞれの側縁１２４で中仕切りフィルム１０６と横ガゼット１０８，１０８の接着領域を一致させ、中仕切りフィルム１０６及び横ガゼット１０８，１０８の両方の上縁をチャック付きシールテープ１１０によって接着することによって、２種のフィルムを胴部フィルム１０２に対して及び相互に一括接着することができ、副収納部１１８を形成する中仕切りフィルム１０６の接着工程を簡略化することができる。
【００２７】
図４及び図５に示されるように、第２実施形態の合成樹脂製袋体２００は、第１実施形態の袋体１００と対比すると、中仕切りフィルムと横ガゼットとの上端部の構成が異なっている。
本実施形態の袋体２００も、表裏の胴部フィルム２０２，２０４、中仕切りフィルム２０６、一対の横ガゼット２０８，２０８、チャック付きシールテープ２１０，２１２より構成される。胴部フィルム２０２，２０４は、それぞれ実質的に同じ矩形形状及び同じサイズであり、これらの胴部フィルム２０２，２０４の間には、中仕切りフィルム２０６、一対の横ガゼット２０８，２０８、及び、チャック付きシールテープ２１０，２１２が積層状に配置される。
【００２８】
一対の横ガゼット２０８，２０８は、胴部フィルム２０２側の中仕切りフィルム２０６の上に重ねられる。横ガゼット２０８，２０８の上縁は、中仕切りフィルム２０６とずらされてチャック付きシールテープ２１０で胴部フィルム２０２に対して封止される。その上に、チャック付きシールテープ２１２を予め接着した胴部フィルム２０４が配置され、袋体２００の上縁及びそれぞれの側縁が接着される。底縁は、物品を収納するために開いており、物品収納後に底縁も接着される。
【００２９】
以上のように、本実施形態の袋体２００では、中仕切りフィルム２０６又は横ガゼット２０８の上縁をずらせること、詳細には、図４及び図５に示されるように、横ガゼット２０８の上縁から中仕切りフィルム２０６の上縁が突出することを特徴として構成されている。胴部フィルム２０２と中仕切りフィルム２０６と横ガゼット２０８に跨がるチャック付きシールテープ２１０で、これらを一括接着することにより、中仕切りフィルム２０６がチャック付きシールテープ２１０とも接着することになり、大きな接着力が得られる。こうすることにより、主収納部２２０の機能を損なうことなく、副収納部２１８を形成する中仕切りフィルムの接着力を高めることができる。
【００３０】
図６乃至図８に示されるように、第３実施形態の合成樹脂製袋体３００は、表裏の胴部フィルム３０２，３０４、中仕切りフィルム３０６、一対の横ガゼット３０８，３０８、チャック付きシールテープ３１０，３１２より構成される。ノッチ３１４及び開封線３１６の構成は、第１実施形態の袋体と同じである。
【００３１】
胴部フィルム３０２，３０４は、それぞれ実質的に同じ矩形形状及び同じサイズであり、これらの胴部フィルム３０２，３０４の間には、一対の横ガゼット３０８，３０８、中仕切りフィルム３０６、及び、チャック付きシールテープ３１０，３１２が積層状に配置される。
【００３２】
横ガゼット３０８，３０８は、フィルムをＶ字状に折り込み、それぞれが稜線を平行に対峙させて胴部フィルム３０２，３０４の底縁３２２及びそれぞれの側縁３２４に合せて設けられる。横ガゼット３０８，３０８の上端は、胴部フィルム３０２，３０４の上縁３２６より離間しており、合成樹脂製袋体３００を上部のノッチ３１４から開封しても、横ガゼット３０８，３０８が引き裂かれることはない。
横ガゼット３０８，３０８は、胴部フィルム３０２の底縁３２２の一部及び両側縁３２４で接着され、さらに、上縁を中仕切りフィルム３０６とともにチャック付きシールテープ３１０で封止され、合成樹脂製袋体３００内で主収納部３２０を形成する。当然のことながら、横ガゼット３０８，３０８は、他方の胴部フィルム３０４にも中仕切りフィルム３０６を介して同じ部位で接着される。
【００３３】
中仕切りフィルム３０６は、胴部フィルム３０２の底縁３２２に合わせられ、胴部フィルム３０２の全幅に渡って設けられる。中仕切りフィルム３０６の上端は、横ガゼット３０８，３０８と同様に胴部フィルム３０２，３０４の上縁より離間しており、合成樹脂製袋体３００を上部のノッチ３１４から開封しても、中仕切りフィルム３０６が引き裂かれることはない。
【００３４】
一対の横ガゼット３０８，３０８は、胴部フィルム３０２に重ねられ、さらにその上に中仕切りフィルム３０６が重ねられる。中仕切りフィルム３０６の上縁は横ガゼット３０８，３０８とともに整列してチャック付きシールテープ３１０で胴部フィルム３０２に対して封止される。その上に、チャック付きシールテープ３１２を予め接着した胴部フィルム３０４が配置され、袋体３００の上縁３２６
及びそれぞれの側縁３２４が接着される。底縁は、物品を収納するために開いており、物品収納後に底縁も接着される。
以上のように構成することで、一対の横ガゼット３０８，３０８、中仕切りフィルム３０６、胴部フィルム３０２，３０４及びチャック付きシールテープ３１０，３１２が互いに接着され、上縁がチャックで封止された副収納部３１８が形成される。さらに、上縁がチャックで封止された主収納部３２０が形成される。比較的大きな容積の主収納部３２０には、袋体３００に収納すべき物品が収納され、比較的小さな副収納部３１８には主収納部の物品に関連する副物品が収納される。
【００３５】
雄型チャック付きシールテープ３１０は、胴部フィルム３０２の全幅に渡って、横ガゼット３０８，３０８及び中仕切りフィルム３０６の上端を胴部フィルム３０２に接着する。雌型チャック付きシールテープ３１２は、胴部フィルム３０４に接着されているだけであり、チャック付きシールテープ３１２と胴部フィルム３０４の間には横ガゼット３０８も中仕切りフィルム３０６も挟挿されることはない。雄型チャックと雌型チャックは、逆の関係でもよい。
【００３６】
ノッチ３１４及び開封線３１６によって袋体３００の上縁を開封すると、まず、副収納部３１８が開かれる。本実施形態の袋体３００では、主収納部から物品を取り出すことができるように、中仕切りフィルム３０６に開封線３０７（図６参照）が形成されている。こうすることにより、最初に副収納部３１８が開かれた場合でも、主収納部３２０の物品を容易に取り出すことができる。
開封線３０７は、接着領域を避けつつ、主収納部３２０から物品を取り出しやすくするために、底縁に向って開口するコ字状をしている。もっとも、これに限定されるものではなく、例えば、上下方向又は横方向に延びる１本の線や引裂テープから開封線を構成してもよい。
【００３７】
こうすることにより、中仕切りフィルム３０６の上縁が袋体自体の開口部近郊に現れることがなく、主収納部３２０とは完全に独立した状態の副収納部３１８を形成することができる。
本実施形態の袋体３００では、開封時に副収納部３１８が開かれる。その後、開封線３０７を開くことで、主収納部３２０が開かれる。第１実施形態では、副収納部にアクセスしにくい形態で袋体を構成しているが、第３実施形態では、まず、最初に副収納部にアクセスさせるようになっており、例えば、医薬品のように注意書や取扱説明書を購入者に読ませる工夫がなされている。
さらに、袋体３００の底縁３２２及びそれぞれの側縁３２４で横ガゼット３０８，３０８と中仕切りフィルム３０６との接着領域を一致させ、横ガゼット３０８，３０８及び中仕切りフィルム３０６の両方の上縁をチャック付きシールテープ３１０によって接着することによって、２種のフィルムを胴部フィルム３０２に対して及び相互に一括接着することができ、副収納部３１８を形成する中仕切りフィルム３０６の接着工程を簡略化することができる。
【００３８】
図９及び図１０に示されるように、第４実施形態の合成樹脂製袋体４００は、第３実施形態の袋体３００と対比すると、横ガゼットと中仕切りフィルムとの上端部の構成が異なっている。
本実施形態の袋体４００も、表裏の胴部フィルム４０２，４０４、中仕切りフィルム４０６、一対の横ガゼット４０８，４０８、チャック付きシールテープ４１０，４１２より構成される。胴部フィルム４０２，４０４は、それぞれ実質的に同じ矩形形状及び同じサイズであり、これらの胴部フィルム４０２，４０４の間には、中仕切りフィルム４０６、一対の横ガゼット４０８，４０８、及び、チャック付きシールテープ４１０，４１２が積層状に配置される。
【００３９】
一対の横ガゼット４０８，４０８は、胴部フィルム４０２に重ねられ、さらにその上に中仕切りフィルム４０６が重ねられる。中仕切りフィルム４０６の上縁は、横ガゼット４０８，４０８の上縁とずらされてチャック付きシールテープ４１０で胴部フィルム４０２に対して封止される。その上に、チャック付きシールテープ４１２を予め接着した胴部フィルム４０４が配置され、袋体４００の上縁及びそれぞれの側縁が接着される。底縁は、物品を収納するために開いており、物品収納後に底縁も接着される。副収納部４１８及び主収納部４２０の構成は、第３実施形態と実質的に同じである。
【００４０】
以上のように、本実施形態の袋体４００では、第２実施形態の袋体と同様に、中仕切りフィルム４０６又は横ガゼット４０８の上縁をずらせること、詳細には、図９及び図１０に示されるように、中仕切りフィルム４０６の上縁から横ガゼット４０８の上縁が突出することを特徴として構成されている。胴部フィルム４０２と横ガゼット４０８と中仕切りフィルム４０６に跨がるチャック付きシールテープ４１０で、これらを一括接着することにより、横ガゼット４０８がチャック付きシールテープ４１０とも接着することになり、大きな接着力が得られる。
【００４１】
図１１及び図１２に示されるように、第５実施形態の合成樹脂製袋体５００は、第４実施形態の袋体４００と対比すると、横ガゼットと中仕切りフィルムの上端部の構成が異なっている。
本実施形態の袋体５００も、表裏の胴部フィルム５０２，５０４、中仕切りフィルム５０６、一対の横ガゼット５０８，５０８、チャック付きシールテープ５１０，５１２より構成される。胴部フィルム５０２，５０４は、それぞれ実質的に同じ矩形形状及び同じサイズであり、これらの胴部フィルム５０２，５０４の間には、中仕切りフィルム５０６、一対の横ガゼット５０８，５０８、及び、チャック付きシールテープ５１０，５１２が積層状に配置される。
【００４２】
一対の横ガゼット５０８，５０８は、胴部フィルム５０２に重ねられ、さらにその上に中仕切りフィルム５０６が重ねられる。中仕切りフィルム５０６は、所要部が切り欠かれた形状である。具体的には、中仕切りフィルム５０６は、その上縁が、矩形に切り欠かれた凹状となっている。
凹部５０７の両側の幅は、横ガゼット５０８の対峙間隔と同じであり、凹部５０７の深さは、チャック付きシールテープ５１０が中仕切りフィルム５０６に跨がる長さより短い。また、凹部５０７は、チャック付きシールテープ５１０のチャック５１１（５１３）との干渉することがない。こうすることにより、胴部フィルム５０２とチャック付きシールテープ５１０とで横ガゼット５０８の稜線の一部を挟み込んで接着できるので、横ガゼット５０８，５０８の上縁はしっかりと胴部フィルム５０２に接着された状態になる。さらに、チャック自体が凹部５０７と干渉しないので、チャック付きシールテープ５１０の平坦な部分によって横ガゼット５０８，５０８を胴部フィルム５０２に接着できる。したがって、横ガゼット５０８，５０８によって袋体５００が膨らんでも、破袋することが少なくなる。
【００４３】
図１３乃至図１５に示されるように、第６実施形態の合成樹脂製袋体６００は、表裏の胴部フィルム６０２，６０４、第１及び第２中仕切りフィルム６０５，６０６、一対の横ガゼット６０８，６０８、チャック付きシールテープ６１０，６１２より構成される。
本実施形態の袋体６００は、胴部フィルム６０２と第１中仕切りフィルム６０５の間と、胴部フィルム６０４と第２中仕切りフィルム６０６の間にそれぞれ副収納部６１８，６１９を備えている。副収納部６１８を形成するための構成は、第１実施形態と同じであり、副収納部６１９を形成するための構成は、第３実施形態と同じである。胴部フィルム６０２，６０４は、それぞれ実質的に同じ矩形形状及び同じサイズであり、これらの胴部フィルム６０２，６０４の間には、第１及び第２中仕切りフィルム６０５，６０６、一対の横ガゼット６０８，６０８、及び、チャック付きシールテープ６１０，６１２が積層状に配置される。
【００４４】
こうすることにより、中央の主収納部６２０の両側に副収納部６１８，６１９を設けることができる。第１副収納部６１８に例えば乾燥剤や脱酸素剤を収納し、第２副収納部６１９に例えば注意書や取扱説明書を収納することで、色々な使用の便を図ることができる。
なお、第２中仕切りフィルム６０６には、開封線６０７が形成されていることは第３実施形態と同じである。また、第１中仕切りフィルム６０５、横ガゼット６０８，６０８、第２中仕切りフィルム６０６の順に上縁をずらし、胴部フィルム６０２から第２中仕切りフィルム６０６に跨がるチャック６１１（６１３）付きシールテープ６１０で、これらを一括接着することにより、中仕切りフィルム６０５及び横ガゼット６０８，６０８がチャック付きシールテープ６１０とも接着することになり、大きな接着力が得られる。さらに、第５実施形態のように、第２中仕切りフィルム６０６に凹部を形成してもよい。
【００４５】
上記実施形態では、チャック付きシールテープによって、中仕切りフィルムや横ガゼットを胴部フィルムに接着しているが、単なるシールテープによってこれらのフィルムを接着してもよい。この場合、図１６に示されるように、シールテープ７１０より袋体の上縁側に雄雌咬合型のチャック７１１，７１３がそれぞれの胴部フィルム７０２，７０４に接着されてもよい。このような実施形態においても、中仕切りフィルムと横ガゼットの位置関係を考慮したり、中仕切りフィルムと横ガゼットの上縁をずらして接着したりする等の変更は容易に行うことができる。
【００４６】
【発明の効果】
本発明は以上詳述したように、中仕切りフィルム及び横ガゼットのそれぞれの機能を犠牲にすることなく、中仕切りフィルムによって副収納部を形成した上で、横ガゼットによって大きな容積の主収納部を確保することができる袋体を提供することができる。
【図面の簡単な説明】
【図１】本発明による合成樹脂製袋体の第１実施形態を示す分解斜視図である。
【図２】図１の袋体の完成時の平面図である。
【図３】図２の袋体の３−３線断面図である。
【図４】本発明による合成樹脂製袋体の第２実施形態を示す分解斜視図である。
【図５】図４の完成した袋体の部分断面図である。
【図６】本発明による合成樹脂製袋体の第３実施形態を示す分解斜視図である。
【図７】図６の袋体の完成時の平面図である。
【図８】図７の袋体の８−８線断面図である。
【図９】本発明による合成樹脂製袋体の第４実施形態を示す分解斜視図である。
【図１０】図９の完成した袋体の部分断面図である。
【図１１】本発明による合成樹脂製袋体の第５実施形態を示す分解斜視図である。
【図１２】図１１の完成した袋体の平面図である。
【図１３】本発明による合成樹脂製袋体の第６実施形態を示す分解斜視図である。
【図１４】図１３の袋体の完成時の平面図である。
【図１５】図１４の袋体の１５−１５線断面図である。
【図１６】チャックと別体のシールテープを用いて中仕切りフィルム及び横ガゼットを接着する実施例を示す断面図である。
【符号の説明】
１００，２００，３００，４００，５００，６００　合成樹脂製袋体
１０２，１０４，２０２，２０４，３０２，３０４，４０２，４０４，５０２，５０４，６０２，６０４　胴部フィルム
１０６，２０６，３０６，４０６，５０６，６０５，６０６　中仕切りフィルム
１０８，２０８，３０８，４０８，５０８，６０８　横ガゼット
１１０，２１０，３１０，４１０，５１０，６１０　雄型チャック付きシールテープ
１１２，２１２，３１２，４１２，５１２，６１２　雌型チャック付きシールテープ
１１４，３１４　ノッチ
１１６，３１６　開封線
１１８，３１８，６１８，６１９　副収納部
１２０，３２０，６２０　主収納部
３０７，６０７　開封線
５０７　凹部
【図１】
2004142781.tif 000003
【図２】
2004142781.tif 000004
【図３】
2004142781.tif 000005
【図４】
2004142781.tif 000006
【図５】
2004142781.tif 000007
【図６】
2004142781.tif 000008
【図７】
2004142781.tif 000009
【図８】
2004142781.tif 000010
【図９】
2004142781.tif 000011
【図１０】
2004142781.tif 000012
【図１１】
2004142781.tif 000013
【図１２】
2004142781.tif 000014
【図１３】
2004142781.tif 000015
【図１４】
2004142781.tif 000016
【図１５】
2004142781.tif 000017
【図１６】
2004142781.tif 000018